【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
好ましくはフレームを含む自転車といった乗り物の、２つの自由チェーン部分である引張チェーン部分と戻りチェーン部分とを含むような、主チェーンスプロケットと被駆動チェーンスプロケットとにまたがるチェーンを収容するためのチェーンケーシングであって、前記チェーンケーシングは、
ペダルスピンドルチェーンスプロケットといった前記主チェーンスプロケットで前記チェーンをカバーするための主チェーンスプロケットカバー要素と、
主チェーンスプロケットと前記被駆動チェーンスプロケットとの間で引張チェーン部分の少なくとも一部をカバーするための引張チェーン部分カバー要素と、
前記主チェーンスプロケットと前記被駆動チェーンスプロケットとの間で戻りチェーン部分を少なくともカバーするための戻りチェーン部分カバー要素と、
前記チェーンが通るように配置されたチェーンテンショナアセンブリをカバーするためのチェーンテンショナカバー要素とを含む、チェーンケーシング。
【請求項２】
前記引張チェーン部分または前記戻りチェーン部分といった部分に張力印加を提供するための前記チェーンテンショナアセンブリを含み、前記チェーンテンショナアセンブリは、
前記チェーンテンショナアセンブリをフレームチューブ、好ましくはボトムステイに締結するためのフレームチューブ締結要素と、
前記チェーンに対して張力印加を提供するためのテンショニングアームとを含み、前記テンショニングアームは前記フレームチューブ締結要素に対して可動に配置され、前記チェーンテンショナアセンブリはさらに、
前記テンショニングアームに付勢を提供するためのテンショニング手段と、
前記チェーンをガイドするための第１のガイドスプロケットおよび好ましくは第２のガイドスプロケットとを含み、
少なくとも１つのガイドスプロケットは、前記チェーンに対して張力印加作用を提供するために前記テンショニングアームに配置され、
前記第１のガイドスプロケットおよび好ましい前記第２のガイドスプロケットは、使用中、張力を印加された部分としての前記チェーン部分のうちの一方、好ましくは前記戻りチェーン部分を、前記張力を印加された部分が他方の部分よりも長くなるように、付勢下でガイドするために機能的である、請求項１に記載のチェーンケーシング。
【請求項３】
前記第１および第２のガイドスプロケットを含み、好ましくは、前記第１および第２のガイドスプロケットのうちの第１のガイドスプロケットは、使用中、前記チェーンの第１の側に配置され、前記第１および第２のガイドスプロケットのうちの第２のガイドスプロケットは、使用中、前記チェーンの第２の側に配置される、請求項１または２に記載のチェーンケーシング。
【請求項４】
前記自転車の前記主チェーンスプロケットでチェーンカバーをその前側で支持するための、好ましくは前記自転車のクランクチューブで前記チェーンケーシングを支持するための、前側支持体を含む、請求項１〜３のいずれか一項に記載のチェーンケーシング。
【請求項５】
リアスプロケットカバー要素を含む、請求項１〜４のいずれか一項に記載のチェーンケーシング。
【請求項６】
カバー要素、好ましくは前記戻りチェーン部分カバー要素、前記リアスプロケットカバー要素、および／または前記チェーンテンショナカバー要素を前記チェーンテンショナアセンブリと結合するための結合手段を含む、請求項１〜５のいずれか一項に記載のチェーンケーシング。
【請求項７】
前記テンショニングアームは、前記フレームおよび／またはフレームチューブ締結要素に対して、前記第１および／または前記第２のガイドスプロケットの回転中心線を中心として回転可能に配置される、請求項１〜６のいずれか一項に記載のチェーンケーシング。
【請求項８】
前記テンショニングアームは、前記フレームおよび／またはフレームチューブ締結要素に対して、回転アームを中心として回転可能に、ならびに、前記第１および第２のガイドスプロケット間に配置される、請求項１〜７のいずれか一項に記載のチェーンケーシング。
【請求項９】
ねじりばねなどのばねのような付勢部材を含む、請求項１〜８のいずれか一項に記載のチェーンケーシング。
【請求項１０】
前記チェーンテンショナカバー要素は前記戻りチェーン部分に配置される、請求項１〜９のいずれか一項に記載のチェーンケーシング。
【請求項１１】
取付ブラケットを含む、請求項１〜１０のいずれか一項に記載のチェーンケーシング。
【請求項１２】
前記取付ブラケットは、前記フレームチューブ締結要素に対するガイド進行の調節可能または適合可能な配置という目的を果たす、請求項１１に記載のチェーンケーシング。
【請求項１３】
前記取付ブラケットは、前記チェーンケーシングまたはそのカバー要素、たとえば前記チェーンテンショナカバー要素を支持する目的を果たす、請求項１１または１２に記載のチェーンケーシング。
【請求項１４】
前記取付ブラケットは、前記チェーンケーシングまたはそのカバー要素、たとえばリアチェーンスプロケットカバー要素を支持するための支持手段を含む、請求項１１、１２または１３に記載のチェーンケーシング。
【請求項１５】
前記チェーンテンショナアセンブリは、前記チェーンケーシングまたはそのカバー要素、たとえば前記戻りチェーン部分カバー要素を支持するための支持手段を含む、請求項１〜１４のいずれか一項に記載のチェーンケーシング。
【請求項１６】
前記テンショニングアームは、前記フレーム、好ましくはそのボトムステイに配置された締結孔などの締結部材に、前記フレームチューブ締結要素によって取付け可能である、請求項１〜１５のいずれか一項に記載のチェーンケーシング。
【請求項１７】
前記チェーンケーシングまたはそのカバー要素は、前記フレーム、好ましくはそのボトムステイに配置された締結部材に取付け可能である、請求項１〜１６のいずれか一項に記載のチェーンケーシング。
【請求項１８】
前記締結部材は、前記フレーム、たとえばその前記ボトムステイに、ねじ接続によって、さらに好ましくは、好ましくは前記ボトムステイの内部に配置された前記ボトムステイのくぼみによる隠れねじ接続によって取付けられる、請求項１６または１７に記載のチェーンケーシング。
【請求項１９】
前記締結孔などの前記締結部材は、前記フレーム、たとえばその前記ボトムステイに、溶接接続によって取付けられる、請求項１６または１７に記載のチェーンケーシング。
【請求項２０】
前記テンショニングアームは、前記フレームに対するその締結点および／または回転点から前記自転車のリアアクスルに向かって実質的にバックコート方向に延在する、請求項１〜１９のいずれか一項に記載のチェーンケーシング。
【請求項２１】
ガイドスプロケットのための少なくとも１つの通過開口部を含む、請求項１〜２０のいずれか一項に記載のチェーンケーシング。
【請求項２２】
引張チェーン部分または戻りチェーン部分といったチェーン部分に張力印加作用を提供するためのチェーンテンショニングアセンブリであって、前記チェーンテンショニングアセンブリは、
前記チェーンテンショニングアセンブリをフレームチューブ、好ましくはボトムステイに締結するためのフレームチューブ締結要素と、
前記チェーンに対して張力印加を提供するためのテンショニングアームとを含み、前記テンショニングアームは前記フレームチューブ締結要素に対して可動に配置され、前記チェーンテンショニングアセンブリはさらに、
前記テンショニングアームに付勢を提供するためのテンショニング手段と、
前記チェーンをガイドするための第１のガイドスプロケットおよび好ましくは第２のガイドスプロケットとを含み、
少なくとも１つのガイドスプロケットは、前記チェーンに対して張力印加作用を提供するために前記テンショニングアームに配置され、
前記第１のガイドスプロケットおよび前記第２のガイドスプロケットは、使用中、張力を印加された部分としての前記チェーン部分のうちの一方、好ましくは前記戻りチェーン部分を、前記張力を印加された部分が他方の部分よりも長くなるように、付勢下でガイドするために機能的であり、
前記チェーンテンショナアセンブリを前記フレームチューブに締結するための前記フレームチューブ締結要素は、前記フレームチューブ、たとえば前記ボトムステイの締結提供との相互作用で機能する、チェーンテンショニングアセンブリ。
【請求項２３】
請求項１〜１８のいずれか一項に記載の１つ以上の特徴を含む、請求項２２に記載のチェーンテンショニングアセンブリ。
【手続補正２】
【補正対象書類名】明細書
【補正対象項目名】０００２
【補正方法】変更
【補正の内容】
【０００２】
自転車にチェーンケーシングを提供することは公知であり、チェーンケーシングは、乗る人の衣類を保護する。さらに、チェーンは長さが時間とともに変化し、また、チェーンを連続的に調節することは望ましくないため、そのようなチェーンケーシングは、そこでのチェーンの移動を可能にするために十分な空間を提供し、それは比較的広々としたチェーンケーシングを必要とする、ということがここでは公知である。この目的のために、先行技術によれば、使用中、チェーンに載置され、そのため摩耗および騒音を引き起こす非常に狭いケーシングの形で、解決策が提供される。本発明者は、同様に先行技術に従って狭いケーシングを提供しており、それは、使用中ずっとチェーン上方に配置されるように、ひいては接触しないように、自転車のクランクアクスルで支持体によって支持される。
【手続補正３】
【補正対象書類名】明細書
【補正対象項目名】０００６
【補正方法】変更
【補正の内容】
【０００６】
そのような好ましい実施形態は、チェーンカバーアセンブリが本発明に従ったチェーンケーシングと組合されて使用可能であるということを、利点として提供する。チェーンは好ましくは、チェーンテンショナカバー要素によってチェーンテンショナアセンブリに実質的に収容される。スプロケットの側は好ましくは、同じテンショナカバー要素によって実質的にカバーされる。
【手続補正４】
【補正対象書類名】明細書
【補正対象項目名】０００８
【補正方法】変更
【補正の内容】
【０００８】
さらに別の好ましい実施形態によれば、チェーンケーシング、好ましくはそのテンショニングアセンブリは、第１および第２のガイドスプロケットを含み、好ましくは、第１および第２のガイドスプロケットのうちの第１のガイドスプロケットは、使用中、チェーンの第１の側に配置され、第１および第２のガイドスプロケットのうちの第２のガイドスプロケットは、使用中、チェーンの第２の側に配置される。それにより、チェーンがテンショニングアセンブリとフロントチェーンスプロケットとの間で延在する経路は、固定された態様で実質的に具体化され、一方、チェーンテンショニングアセンブリとリアスプロケットとの間の経路は、チェーンが取付けられた状態とそのエネルギー消費後の若干伸びた状態との双方におけるチェーンの経路を有することによって若干可変である、ということが有利に達成される。同様に、テンショニングアセンブリとフロントスプロケットとの間の経路は可変であり、チェーンテンショニングアセンブリとリアスプロケットとの間の経路は固定されていること、または、それら双方が可変であることが提供される。しかしながら、フロントスプロケットとテンショニングアセンブリとの間の固定された経路が、現在最も好ましい実施形態として考えられる。
【手続補正５】
【補正対象書類名】明細書
【補正対象項目名】００１０
【補正方法】変更
【補正の内容】
【００１０】
さらに好ましくは、チェーンケーシングはリアスプロケットカバー要素を含む。それにより、その位置でのチェーンの保護が実現される。さらに好ましくは、チェーンテンショナアセンブリのいくつかの張力印加位置でのチェーンの処理を可能にする目的のために、リアルスプロケットカバー要素は、引張チェーン部分カバー要素または戻りチェーン部分カバー要素における通過空間よりも広い通過空間を提供する。それにより、リアスプロケットの位置よりもチェーンテンショナアセンブリの位置で、より高い空間が提供される。そのような可変高さの通過空間は、チェーンテンショニングアセンブリとリアスプロケット、またはそれに代わってフロントスプロケットとの間に、チェーンのための有利な遊び用空間を提供する。
【手続補正６】
【補正対象書類名】明細書
【補正対象項目名】００２４
【補正方法】変更
【補正の内容】
【００２４】
さらに別の好ましい実施形態によれば、チェーンケーシングには、ガイドスプロケットのための通過開口部が含まれる。そのような通過開口部の利点は、チェーンケーシングが、テンショニングアームの比較的大きい範囲の移動、ひいてはガイドスプロケットのまわりのチェーンを可能にすることである。これにより、チェーンテンショナカバー要素のコンパクトな構造が実現される。さらに、摩耗によるチェーンの大きい程度の伸びが、さらなる保守なしで許容可能である。
【手続補正７】
【補正対象書類名】明細書
【補正対象項目名】００２５
【補正方法】変更
【補正の内容】
【００２５】
本発明に従ったさらに別の局面は、引張チェーン部分または戻りチェーン部分といったチェーン部分に張力印加作用を提供するためのチェーンテンショニングアセンブリであって、チェーンテンショニングアセンブリは、
チェーンテンショニングアセンブリをフレームチューブ、好ましくはボトムステイに締結するためのフレームチューブ締結要素と、
チェーンに対して張力印加を提供するためのテンショニングアームとを含み、テンショニングアームはフレームチューブ締結要素に対して可動に配置され、チェーンテンショニングアセンブリはさらに、
テンショニングアームに付勢を提供するためのテンショニング手段と、
チェーンをガイドするための第１のガイドスプロケットおよび好ましくは第２のガイドスプロケットとを含み、
少なくとも１つのガイドスプロケットは、チェーンに対して張力印加作用を提供するためにテンショニングアームに配置され、
第１のガイドスプロケットおよび第２のガイドスプロケットは、使用中、張力を印加された部分としてのチェーン部分のうちの一方、好ましくは戻りチェーン部分を、張力を印加された部分が他方の部分よりも長くなるように、付勢下でガイドするために機能的であり、
チェーンテンショナアセンブリをフレームチューブに締結するためのフレームチューブ締結要素は、フレームチューブ、たとえばボトムステイの締結提供との相互作用で機能する、チェーンテンショニングアセンブリに関する。
【手続補正８】
【補正対象書類名】明細書
【補正対象項目名】００２９
【補正方法】変更
【補正の内容】
【００２９】
【図１】本発明に従った第１の好ましい実施形態の斜視図である。
【図２】図１に従った好ましい実施形態の内側側面図である。
【図３】組立てられた状態での、図１に従った好ましい実施形態の上面図である。
【図４】組立てられた状態での、図１に従った好ましい実施形態の側面図である。
【図５】図１に従った好ましい実施形態の詳細の分解図である。
【図６】図５に従った詳細の分解底面図である。
【図７】組立てられた状態での、図５に従った詳細の分解底面図である。
【図８】図１に従った好ましい実施形態の詳細に関する図である。
【図９】さらに別の好ましい実施形態の詳細に関する図である。
【図１０】チェーンテンショナアセンブリのさらに別の好ましい実施形態を有する、異なる見地における、図９に従った好ましい実施形態の図である。
【図１１】本発明に従ったチェーンテンショニングアセンブリのさらに別の好ましい実施形態の斜視図である。
【図１２】図１１に従った好ましい実施形態の斜視図である。
【図１３】自転車のボトムステイに組立てられた、図１１に従った好ましい実施形態のさらに別の斜視図である。
【図１４】さらに別の好ましい実施形態の図である。
【図１５】自転車のボトムステイに配置された、本発明に従ったさらに別の好ましい実施形態のチューブ斜視図である。
【図１６】図１５に従った好ましい実施形態の２つの分解斜視図である。
【手続補正９】
【補正対象書類名】明細書
【補正対象項目名】００３０
【補正方法】変更
【補正の内容】
【００３０】
本発明に従った第１の好ましい実施形態（図１）は、チェーンケーシング１に関する。このチェーンケーシングは、主スプロケットと被駆動スプロケットとの間でチェーンの引張部分の少なくとも一部をカバーするカバー要素５を含む。さらに、それは、主スプロケットの位置でチェーンをカバーする主スプロケット用カバー要素４を含む。さらに別のカバー要素３が、主スプロケットからリアスプロケットへ戻るチェーンまたはその一部をカバーする。リアスプロケットの周りには、リアスプロケットの位置でチェーンをカバーするカバー要素６がある。
【手続補正１０】
【補正対象書類名】明細書
【補正対象項目名】００３３
【補正方法】変更
【補正の内容】
【００３３】
同様に、リアスプロケット９’は、駆動スプロケット９に対して引張チェーン部分を位置付ける目的を果たす。この位置のため、引張チェーン部分は非常に細いまたは非常に狭い引張チェーン部分カバー要素５内に配置され得るということが実現される。
【手続補正１１】
【補正対象書類名】明細書
【補正対象項目名】００３６
【補正方法】変更
【補正の内容】
【００３６】
チェーンケーシングの細いデザインが好まれるため、チェーンテンショナカバー要素は、ガイドスプロケットの部分を通すための開口部８、８’、８”を有する。
【手続補正１２】
【補正対象書類名】明細書
【補正対象項目名】００４０
【補正方法】変更
【補正の内容】
【００４０】
テンションスプロケット１２は、ガイドスプロケットとして、テンショニングアーム１４の自由端にボルト２９およびナット２９’によって取付けられる。ガイドスプロケット１３も、テンショニングアームおよび取付ブラケットの非自由端に対してボルト２６およびナット２６’によって取付けられる。
【手続補正１３】
【補正対象書類名】明細書
【補正対象項目名】００４７
【補正方法】変更
【補正の内容】
【００４７】
引張チェーン部分または戻りチェーン部分といったチェーン部分に張力印加作用を提供するためのチェーンテンショニングアセンブリであって、チェーンテンショニングアセンブリは、
チェーンテンショニングアセンブリをフレームチューブ、好ましくはボトムステイに締結するためのフレームチューブ締結要素と、
チェーンに対して張力印加を提供するためのテンショニングアームとを含み、テンショニングアームはフレームチューブ締結要素に対して可動に配置され、チェーンテンショニングアセンブリはさらに、
テンショニングアームに付勢を提供するためのテンショニング手段と、
チェーンをガイドするための第１のガイドスプロケットおよび好ましくは第２のガイドスプロケットとを含み、
少なくとも１つのガイドスプロケットは、チェーンに対して張力印加作用を提供するためにテンショニングアームに配置され、
第１のガイドスプロケットおよび第２のガイドスプロケットは、使用中、張力を印加された部分としてのチェーン部分のうちの一方、好ましくは戻りチェーン部分を、張力を印加された部分が他方の部分よりも長くなるように、付勢下でガイドするために機能的である。